Podtech/llm-jp-corpus-v4-ja_patent huggingface dataset:
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
圧力を検出するセンサーチップと、
開口を有し、前記センサーチップが収納される内部空間を備えるパッケージと、
前記内部空間に前記パッケージから突出しているフライングリードと、を有し、
前記センサーチップは、前記フライングリードに接続していることを特徴とする圧力センサー。
【請求項２】
前記センサーチップは、前記パッケージの内壁から離れて配置されている請求項１に記載の圧力センサー。
【請求項３】
前記内部空間は、柔軟性を有する樹脂で充填されている請求項１または２に記載の圧力センサー。
【請求項４】
前記センサーチップは、ダイアフラム溝を有し、前記ダイアフラム溝を前記開口側に向けて配置されている請求項１ないし３のいずれか１項に記載の圧力センサー。
【請求項５】
前記フライングリードは、導電性を有する請求項１ないし４のいずれか１項に記載の圧力センサー。
【請求項６】
前記センサーチップは、前記フライングリードの前記開口側の面と接続している請求項１ないし５のいずれか１項に記載の圧力センサー。
【請求項７】
前記内部空間にＩＣチップを備える請求項１ないし６のいずれか１項に記載の圧力センサー。
【請求項８】
前記センサーチップは、前記ＩＣチップを介して、前記フライングリードに接続している請求項７に記載の圧力センサー。
【請求項９】
請求項１ないし８のいずれか１項に記載の圧力センサーを備えることを特徴とする電子機器。
【請求項１０】
請求項１ないし８のいずれか１項に記載の圧力センサーを備えることを特徴とする移動体。
【手続補正２】
【補正対象書類名】明細書
【補正対象項目名】０００６
【補正方法】変更
【補正の内容】
【０００６】
本発明は、上述の課題の少なくとも一部を解決するためになされたものであり、以下の形態または適用例として実現することが可能である。
［適用例１］
本発明の圧力センサーは、圧力を検出するセンサーチップと、
開口を有し、前記センサーチップが収納される内部空間を備えるパッケージと、
前記内部空間に前記パッケージから突出しているフライングリードと、を有し、
前記センサーチップは、前記フライングリードに接続していることを特徴とする。
これにより、高感度で、かつ、外部からの応力が緩和された圧力センサーとすることができる。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
出射波長を時間的に掃引させる波長掃引光源を用いたＳＳ−ＯＣＴ光学系を備え、前記波長掃引光源による出射波長の変化に応じて測定光と参照光との干渉信号をサンプリングし、サンプリングによって得られた各波長での干渉信号に基づいて被検物の内部情報を得る光コヒーレンストモグラフィー装置であって、
前記測定光と前記参照光との干渉によって生じた干渉信号光を、第１干渉信号光と、前記第１干渉信号光に対して位相差を持つ第２干渉信号光とに分割する光分割器と、
前記第１干渉信号光を検出するための第１検出器と、前記第２干渉信号光を検出するための第２検出器とを備え、前記第１検出器と前記第２検出器からの検出信号を処理して平衡検出を行うための平衡検出器と、
前記第１検出器と前記第２検出器のいずれか一方と、前記光分割器との間に配置され、前記第１干渉信号光又は前記第２干渉信号光のいずれかによる定常パターンノイズを発生させるための光学部材と、
前記平衡検出器における各サンプリングポイントに対する波数成分のマッピング状態を補正するための補正情報を、前記平衡検出器から出力される検出信号に含まれる前記定常パターンノイズに対応する信号成分に基づいて演算により求める演算処理手段と、
を備えることを特徴とする光コヒーレンストモグラフィー装置。
【請求項２】
前記平衡検出器は、第１平衡検出器であって、
さらに、前記第１干渉信号光を検出するための第３検出器と、前記第２干渉信号光を検出するための第４検出器とを備え、前記第３検出器と前記第４検出器からの検出信号を処理して平衡検出を行うための第２平衡検出器と、
前記第３検出器と前記第４検出器のいずれか一方と、前記光分割器との間に配置され、第１干渉信号光又は第２干渉信号光のいずれかによる定常パターンノイズを発生させるための第２の光学部材と、
を備え、
前記演算処理手段は、さらに、前記第２平衡検出器から出力される検出信号に含まれる前記定常パターンノイズに対応する信号成分に基づいて、前記第２平衡検出器における各サンプリングポイントに対する波数成分のマッピング状態を補正するための補正情報を演算により求めることを特徴とする請求項１又は２の光コヒーレンストモグラフィー装置。
【請求項３】
前記第１検出器及び前記第３検出器は、垂直偏光成分を持つ各波長での干渉信号を検出するための垂直偏光検出器として、
前記第２検出器及び前記第４検出器は、水平偏光成分を持つ各波長での干渉信号を検出するための水平偏光検出器として用いられ、
前記垂直偏光成分及び前記水平変更成分を持つ各波長での干渉信号に基づいて被検物の偏光特性を求めることを特徴とする請求項３の光コヒーレンストモグラフィー装置。
【請求項４】
前記演算処理手段は、前記各波長での干渉信号を含むスペクトル信号の位相ずれを、前記平衡検出器から出力される検出信号に含まれる前記定常パターンノイズに対応する信号成分に基づいて補正することを特徴とする請求項１〜５のいずれかの光コヒーレンストモグラフィー装置。
【請求項５】
波長掃引光源からの光を測定光と参照光とに分割し、被検物からの測定光と参照光との干渉により生じた干渉信号光を検出器により受光するＳＳ−ＯＣＴ光学系と、
前記検出器から出力される検出信号に含まれるスペクトル信号であって各波長での干渉信号を含むスペクトル信号を処理して被検物の内部情報を得る演算処理手段と、を備え、
前記ＳＳ−ＯＣＴ光学系は、前記干渉信号光による定常パターンノイズを発生させるための光学部材を備え、
前記演算処理手段は、前記スペクトル信号の位相ずれを、前記検出器から出力される検出信号に含まれる前記定常パターンノイズに対応する信号成分に基づいて補正し、補正された前記スペクトル信号を処理して被検物の内部情報を得ることを特徴とする光コヒーレンストモグラフィー装置。
【手続補正２】
【補正対象書類名】明細書
【補正対象項目名】０００９
【補正方法】変更
【補正の内容】
【０００９】
（１）  出射波長を時間的に掃引させる波長掃引光源を用いたＳＳ−ＯＣＴ光学系を備え、前記波長掃引光源による出射波長の変化に応じて測定光と参照光との干渉信号をサンプリングし、サンプリングによって得られた各波長での干渉信号に基づいて被検物の内部情報を得る光コヒーレンストモグラフィー装置であって、
前記測定光と前記参照光との干渉によって生じた干渉信号光を、第１干渉信号光と、前記第１干渉信号光に対して位相差を持つ第２干渉信号光とに分割する光分割器と、
前記第１干渉信号光を検出するための第１検出器と、前記第２干渉信号光を検出するための第２検出器とを備え、前記第１検出器と前記第２検出器からの検出信号を処理して平衡検出を行うための平衡検出器と、
前記第１検出器と前記第２検出器のいずれか一方と、前記光分割器との間に配置され、前記第１干渉信号光又は前記第２干渉信号光のいずれかによる定常パターンノイズを発生させるための光学部材と、
前記平衡検出器における各サンプリングポイントに対する波数成分のマッピング状態を補正するための補正情報を、前記平衡検出器から出力される検出信号に含まれる前記定常パターンノイズに対応する信号成分に基づいて演算により求める演算処理手段と、
を備えることを特徴とする。
（２） 波長掃引光源からの光を測定光と参照光とに分割し、被検物からの測定光と参照光との干渉により生じた干渉信号光を検出器により受光するＳＳ−ＯＣＴ光学系と、
前記検出器から出力される検出信号に含まれるスペクトル信号であって各波長での干渉信号を含むスペクトル信号を処理して被検物の内部情報を得る演算処理手段と、を備え、
前記ＳＳ−ＯＣＴ光学系は、前記干渉信号光による定常パターンノイズを発生させるための光学部材を備え、
前記演算処理手段は、前記スペクトル信号の位相ずれを、前記検出器から出力される検出信号に含まれる前記定常パターンノイズに対応する信号成分に基づいて補正し、補正された前記スペクトル信号を処理して被検物の内部情報を得ることを特徴とする。
【手続補正書】
【提出日】平成28年7月26日(2016.7.26)
【手続補正１】
【補正対象書類名】明細書
【補正対象項目名】０００６
【補正方法】変更
【補正の内容】
【０００６】
この発明は、筒状部材が内外に貫通して設けられたケースと、このケース内に配置され、傾動操作に応じてスイッチ動作するスイッチと、このスイッチに設けられ、前記スイッチを傾動操作する操作伝達部材と、前記ケースの前記筒状部材に挿入され、スライド操作に応じて内端部が前記操作伝達部材に係脱可能に係合する軸部、およびこの軸部の外端部に設けられた頭部を有し、前記操作伝達部材を傾動操作する操作部材と、を備えていることを特徴とするスイッチ装置である。
【手続補正２】
【補正対象書類名】明細書
【補正対象項目名】０００７
【補正方法】変更
【補正の内容】
【０００７】
この発明によれば、筒状部材に挿入された操作部材の軸部の内端部を操作伝達部材に係合させた状態で、操作部材によって操作伝達部材を軸方向と直交する複数方向に傾動操作することができるので、この操作伝達部材の複数方向の傾動操作によってスイッチを複数方向に傾動させることができる。これにより、複数方向の傾動動作に応じてスイッチをそれぞれスイッチ動作させることができるので、スイッチ機能の多機能化を図ることができる。
【手続補正３】
【補正対象書類名】特許請求の範囲
【補正対象項目名】全文
【補正方法】変更
【補正の内容】
【特許請求の範囲】
【請求項１】
筒状部材が内外に貫通して設けられたケースと、
このケース内に配置され、傾動操作に応じてスイッチ動作するスイッチと、
このスイッチに設けられ、前記スイッチを傾動操作する操作伝達部材と、
前記ケースの前記筒状部材に挿入され、スライド操作に応じて内端部が前記操作伝達部材に係脱可能に係合する軸部、およびこの軸部の外端部に設けられた頭部を有し、前記操作伝達部材を傾動操作する操作部材と、
を備えていることを特徴とするスイッチ装置。
【請求項２】
請求項１に記載のスイッチ装置において、前記操作伝達部材は、前記ケースの内面側に位置する端部に非円形状の係合孔が設けられており、前記操作部材の前記軸部の内端部には、前記操作伝達部材の前記係合孔に係脱可能に係合する係合部が設けられていることを特徴とするスイッチ装置。
【請求項３】
請求項２に記載のスイッチ装置において、前記係合部は、前記操作部材が前記ケースの外部に引き出された際に、前記操作伝達部材の前記係合孔に係合し、前記操作部材が前記ケースの内部に向けて押し込まれた際に、前記操作伝達部材の前記係合孔から離脱することを特徴とするスイッチ装置。
【請求項４】
請求項１〜請求項３のいずれかに記載のスイッチ装置において、前記筒状部材は、前記ケースの内部側に設けられた小径孔部と、前記ケースの外部側に設けられた大径孔部とを有し、前記操作部材の前記軸部の外周面には、複数の防水リングが設けられていることを特徴とするスイッチ装置。
【請求項５】
請求項４に記載のスイッチ装置において、前記複数の防水リングは、前記操作部材が前記ケースの内部に向けて押し込まれて、前記操作部材の前記係合部が前記操作伝達部材の前記係合孔から離脱した状態のときに、前記複数の防水リングのすべてが前記小径孔部の内面に弾接し、前記操作部材が前記ケースの外部に引き出されて、前記操作部材の前記係合部が前記操作伝達部材の前記係合孔に係合した状態のときに、前記複数の防水リングのうち、少なくとも１つの防水リングが前記小径孔部の内面に弾接することを特徴とするスイッチ装置。
【請求項６】
請求項１〜請求項５のいずれかに記載のスイッチ装置において、前記操作部材が前記ケースの内部に向けて押し込まれた状態のときに、前記操作部材をロックするロック機構を備えていることを特徴とするスイッチ装置。
【請求項７】
請求項１〜請求項６のいずれかに記載されたスイッチ装置を備えていることを特徴とする時計。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
移動体の現在位置を取得する取得部と、
施設の案内画像を表示部に表示させる制御部と、
を備え、
前記制御部は、
前記移動体が第１道路及び第２道路に分岐する分岐点を通過する前に、前記第１道路に隣接する施設の案内画像を表示部に表示させる第１表示制御と、
前記移動体が前記分岐点を通過したのち、前記第２道路に位置していると認識した場合は、前記第１表示制御により表示された前記案内画像の表示を継続した後、消去させる第２表示制御と、
を行うことを特徴とする制御装置。
【請求項２】
前記第２道路は高速道路であり、
前記案内画像は、パーキングエリアまたはサービスエリアのうち少なくとも一方の情報に関する画像であり、
前記第１道路は前記第２道路の本線から前記パーキングエリアまたはサービスエリアのうち少なくとも一方へ接続する道路であることを特徴とする請求項１に記載の制御装置。
【請求項３】
前記表示制御部は、前記移動体が前記分岐点を通過し、前記第２道路に位置していると認識してから前記第２表示制御に基づき前記案内画像の表示を消去させるまでの表示継続時間が経過するまでの間に、前記移動体が前記第１道路を移動していると認識した場合には、前記案内画像の表示を消去させることなく継続させることを特徴とする請求項１または２に記載の制御装置。
【請求項４】
前記移動体が前記分岐点を通過し、前記第２道路に位置していると認識してから前記第２表示制御に基づき前記案内画像の表示を消去させるまでの表示継続時間は、前記第１道路と前記第２道路とのなす角によって設定されることを特徴とする請求項１乃至３のいずれか一項に記載の制御装置。
【請求項５】
前記表示制御部は、前記分岐点の通過前後での前記移動体の速度変化に基づき、前記第２表示制御により前記案内画像の表示を消去させるか否かを決定することを特徴とする請求項１乃至４のいずれか一項に記載の制御装置。
【請求項６】
前記表示制御部は、前記分岐点の通過前後での前記移動体の速度低下が所定の閾値未満の場合に前記案内画像の表示を消去させ、かつ、前記閾値を、前記第１道路と前記第２道路とのなす角に基づき設定することを特徴とする請求項５に記載の制御装置。
【請求項７】
前記移動体が前記分岐点を通過し、前記第２道路に位置していると認識してから前記第２表示制御に基づき前記案内画像の表示を消去させるまでの表示継続時間は、前記移動体が前記分岐点から所定の距離を走行するまでの時間であることを特徴とする請求項１乃至３のいずれか一項に記載の制御装置。
【請求項８】
制御装置が実行する制御方法であって、
移動体の現在位置を取得する取得工程と、
施設の案内画像を表示部に表示させる制御工程と、を有し、
前記制御工程では、前記制御装置は、前記移動体が第１道路及び第２道路に分岐する分岐点を通過する前に、前記第１道路に隣接する施設の案内画像を表示部に表示させる第１表示制御と、
前記移動体が前記分岐点を通過したのち、前記第２道路に位置していると認識した場合は、前記第１表示制御により表示された前記案内画像の表示を継続した後、消去させる第２表示制御と、
を行うことを特徴とする制御方法。
【請求項９】
コンピュータが実行するプログラムであって、
移動体の現在位置を取得する取得部と、
施設の案内情報を表示部に表示させる制御部
として前記コンピュータを機能させ、
前記制御部は、
前記移動体が第１道路及び第２道路に分岐する分岐点を通過する前に、前記第１道路に隣接する施設の案内画像を表示部に表示させる第１表示制御と、
前記移動体が前記分岐点を通過したのち、前記第２道路に位置していると認識した場合は、前記第１表示制御により表示された前記案内画像の表示を継続した後、消去させる第２表示制御と、
を行うことを特徴とするプログラム。
【請求項１０】
請求項９に記載のプログラムを記憶したことを特徴とする記憶媒体。
【手続補正２】
【補正対象書類名】明細書
【補正対象項目名】発明の名称
【補正方法】変更
【補正の内容】
【発明の名称】制御装置、制御方法、プログラム、及び記憶媒体
【手続補正３】
【補正対象書類名】明細書
【補正対象項目名】０００６
【補正方法】変更
【補正の内容】
【０００６】
請求項に記載の発明は、制御装置であって、移動体の現在位置を取得する取得部と、施設の案内画像を表示部に表示させる制御部と、を備え、前記制御部は、前記移動体が第１道路及び第２道路に分岐する分岐点を通過する前に、前記第１道路に隣接する施設の案内画像を表示部に表示させる第１表示制御と、前記移動体が前記分岐点を通過したのち、前記第２道路に位置していると認識した場合は、前記第１表示制御により表示された前記案内画像の表示を継続した後、消去させる第２表示制御と、を行うことを特徴とする。
【手続補正４】
【補正対象書類名】明細書
【補正対象項目名】０００７
【補正方法】変更
【補正の内容】
【０００７】
また、請求項に記載の発明は、制御装置が実行する制御方法であって、移動体の現在位置を取得する取得工程と、施設の案内画像を表示部に表示させる制御工程と、を有し、前記制御工程では、前記制御装置は、前記移動体が第１道路及び第２道路に分岐する分岐点を通過する前に、前記第１道路に隣接する施設の案内画像を表示部に表示させる第１表示制御と、前記移動体が前記分岐点を通過したのち、前記第２道路に位置していると認識した場合は、前記第１表示制御により表示された前記案内画像の表示を継続した後、消去させる第２表示制御と、を行うことを特徴とする。
【手続補正５】
【補正対象書類名】明細書
【補正対象項目名】０００８
【補正方法】変更
【補正の内容】
【０００８】
また、請求項に記載の発明は、コンピュータが実行するプログラムであって、移動体の現在位置を取得する取得部と、施設の案内情報を表示部に表示させる制御部として前記コンピュータを機能させ、前記制御部は、前記移動体が第１道路及び第２道路に分岐する分岐点を通過する前に、前記第１道路に隣接する施設の案内画像を表示部に表示させる第１表示制御と、前記移動体が前記分岐点を通過したのち、前記第２道路に位置していると認識した場合は、前記第１表示制御により表示された前記案内画像の表示を継続した後、消去させる第２表示制御と、を行うことを特徴とする。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
移動体の進行方向に関する情報を取得する取得部と、
第１道路に隣接する第１施設に関する第１施設情報と、
前記第１道路とは逆の方向に移動するための第２道路に隣接し、前記第１施設と同一名称である第２施設に関する情報である第２施設情報と、を対応付けて表示部に表示させる表示制御部と、
を備え、
前記表示制御部は、前記進行方向に関する情報に基づき、前記第１施設情報と前記第２施設情報の表示態様を変えることを特徴とする表示制御装置。
【請求項２】
前記表示制御部は、前記第１道路が前記進行方向に移動するための道路である場合、前記第１施設情報を前記第２施設情報よりも強調した表示態様で表示させることを特徴とする請求項１に記載の表示制御装置。
【請求項３】
前記第１道路および前記第２道路は、高速道路であり、
前記第１施設情報および前記第２施設情報は、サービスエリアとパーキングエリアとが含まれることを特徴とする請求項１または２に記載の表示制御装置。
【請求項４】
前記進行方向に関する情報は、前記移動体の目的地までの経路情報であり、
前記表示制御部は、前記表示部に地図情報および前記経路情報を更に表示させ、前記第１施設情報と前記第２施設情報を前記経路情報に対応付けた表示態様で前記表示部に表示させることを特徴とする請求項１乃至３のいずれか一項に記載の表示制御装置。
【請求項５】
前記表示制御部は、前記移動体の目的地までの経路が前記第１道路を含む場合、前記第１施設情報を前記第２施設情報よりも強調した表示態様で表示させることを特徴とする請求項２乃至４のいずれか一項に記載の表示制御装置。
【請求項６】
前記表示制御部は、前記移動体の目的地までの経路が前記第１道路を含む場合、前記第１施設情報と前記第２施設情報とを示す画像を、前記第１施設の位置に相当する位置に対応付けて前記表示部に表示させることを特徴とする請求項１乃至５のいずれか一項に記載の表示制御装置。
【請求項７】
前記表示制御部は、複数の施設名称に対応する前記第１施設情報と前記第２施設情報とを示す画像を表示すべき場合であって、当該画像の表示すべき位置が重なる場合、目的地までの経路に隣接する施設に対応する前記画像を優先して前記表示部に表示させることを特徴とする請求項１乃至６のいずれか一項に記載の表示制御装置。
【請求項８】
表示制御装置が実行する制御方法であって、
移動体の進行方向に関する情報を取得する取得工程と、
第１道路に隣接する第１施設に関する第１施設情報と、
前記第１道路とは逆の方向に移動するための第２道路に隣接し、前記第１施設と同一名称である第２施設に関する情報である第２施設情報と、を対応付けて表示部に表示させる表示制御工程と、を有し、
前記表示制御工程では、前記表示制御装置は、前記進行方向に関する情報に基づき、前記第１施設情報と前記第２施設情報の表示態様を変えることを特徴とする制御方法。
【請求項９】
コンピュータが実行するプログラムであって、
移動体の進行方向に関する情報を取得する取得手段と、
第１道路に隣接する第１施設に関する第１施設情報と、
前記第１道路とは逆の方向に移動するための第２道路に隣接し、前記第１施設と同一名称である第２施設に関する情報である第２施設情報と、を対応付けて表示部に表示させる表示制御手段
として前記コンピュータを機能させ、
前記表示制御手段は、前記進行方向に関する情報に基づき、前記第１施設情報と前記第２施設情報の表示態様を変えることを特徴とするプログラム。
【請求項１０】
請求項９に記載のプログラムを記憶したことを特徴とする記憶媒体。
【手続補正２】
【補正対象書類名】明細書
【補正対象項目名】０００６
【補正方法】変更
【補正の内容】
【０００６】
請求項に記載の発明は、表示制御装置であって、移動体の進行方向に関する情報を取得する取得部と、第１道路に隣接する第１施設に関する第１施設情報と、前記第１道路とは逆の方向に移動するための第２道路に隣接し、前記第１施設と同一名称である第２施設に関する情報である第２施設情報と、を対応付けて表示部に表示させる表示制御部と、を備え、前記表示制御部は、前記進行方向に関する情報に基づき、前記第１施設情報と前記第２施設情報の表示態様を変えることを特徴とする。
【手続補正３】
【補正対象書類名】明細書
【補正対象項目名】０００７
【補正方法】変更
【補正の内容】
【０００７】
また、請求項に記載の発明は、表示制御装置が実行する制御方法であって、移動体の進行方向に関する情報を取得する取得工程と、第１道路に隣接する第１施設に関する第１施設情報と、前記第１道路とは逆の方向に移動するための第２道路に隣接し、前記第１施設と同一名称である第２施設に関する情報である第２施設情報と、を対応付けて表示部に表示させる表示制御工程と、を有し、前記表示制御工程では、前記表示制御装置は、前記進行方向に関する情報に基づき、前記第１施設情報と前記第２施設情報の表示態様を変えることを特徴とする。
【手続補正４】
【補正対象書類名】明細書
【補正対象項目名】０００８
【補正方法】変更
【補正の内容】
【０００８】
また、請求項に記載の発明は、コンピュータが実行するプログラムであって、移動体の進行方向に関する情報を取得する取得手段と、第１道路に隣接する第１施設に関する第１施設情報と、前記第１道路とは逆の方向に移動するための第２道路に隣接し、前記第１施設と同一名称である第２施設に関する情報である第２施設情報と、を対応付けて表示部に表示させる表示制御手段として前記コンピュータを機能させ、前記表示制御手段は、前記進行方向に関する情報に基づき、前記第１施設情報と前記第２施設情報の表示態様を変えることを特徴とする。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
基板と、
前記基板の一方の面に設けられ、複数層を含む第一反射膜と、
前記基板に対向する第二反射膜と、
前記第一反射膜の上に設けられた電極と、
を備え、
前記第一反射膜は、前記第二反射膜に対向する第一領域を含み、さらに前記第一領域から前記基板の外周縁に亘る領域に設けられていることを特徴とする干渉フィルター。
【請求項２】
請求項１に記載の干渉フィルターにおいて、
前記電極は、前記基板を前記第一反射膜が設けられた面の法線方向から見て、前記第一領域と重なる透光性のミラー電極と、前記ミラー電極の外周縁から前記第一反射膜における前記第一領域の外の所定の位置に亘って設けられたミラー接続電極と、を備えたことを特徴とする干渉フィルター。
【請求項３】
請求項１又は請求項２に記載の干渉フィルターにおいて、
前記基板の前記第一反射膜が設けられる面とは反対側の他方の面の、当該面の法線方向から見て前記第一反射膜と重なる領域に、前記第一反射膜の膜応力を相殺する応力相殺膜が設けられていることを特徴とする干渉フィルター。
【請求項４】
請求項３に記載の干渉フィルターにおいて、
前記応力相殺膜は、反射防止膜であることを特徴とする干渉フィルター。
【請求項５】
請求項１から請求項４のいずれかに記載の干渉フィルターにおいて、
前記基板に対向し、前記第二反射膜が設けられた第２の基板を備え、
前記第二反射膜は、複数層を含み、前記第２の基板の前記第一反射膜に対向する第二領域を含み、さらに前記第二領域から前記第２の基板の外周縁に亘る領域に設けられ、
前記第二反射膜の上に第２の電極が設けられたことを特徴とする干渉フィルター。
【請求項６】
請求項５に記載の干渉フィルターにおいて、
前記第二反射膜は、所定のギャップを介して前記第一反射膜に対向する第二領域を備え、
前記第２の電極は、前記第２の基板を前記第二反射膜が設けられた面の法線方向から見て、前記第二領域と重なる透光性の第２のミラー電極と、前記第２のミラー電極の外周縁から前記第二反射膜における前記第二領域の外の所定の位置に亘って設けられた第２のミラー接続電極と、を備えたことを特徴とする干渉フィルター。
【請求項７】
請求項５又は請求項６に記載の干渉フィルターにおいて、
前記電極は、前記基板を前記第一反射膜が設けられた面の法線方向から見て、前記第一領域の外側に設けられた第一駆動電極と、前記第一駆動電極の外周縁から前記第一反射膜における前記第一領域の外の所定の位置に亘って設けられた第一駆動接続電極と、を含み、
前記第２の電極は、前記第２の基板を前記第二反射膜が設けられた面の法線方向から見て、前記第二領域の外側に設けられた第二駆動電極と、前記第二駆動電極の外周縁から前記第二反射膜における前記第二領域外の所定の位置に亘って設けられた第二駆動接続電極と、を含むことを特徴とする干渉フィルター。
【請求項８】
請求項５から請求項７のいずれかに記載の干渉フィルターにおいて、
前記第２の基板の前記基板とは反対側の面に、当該面の法線方向から見て前記第二反射膜と重なる領域に、前記第２の反射膜の膜応力を相殺する第２の応力相殺膜が設けられていることを特徴とする干渉フィルター。
【請求項９】
請求項８に記載の干渉フィルターにおいて、
前記第２の応力相殺膜は、反射防止膜であることを特徴とする干渉フィルター。
【請求項１０】
請求項１から請求項９のいずれかに記載の干渉フィルターにおいて、
前記第一反射膜及び前記第二反射膜は、誘電体多層膜を含むことを特徴とする干渉フィルター。
【請求項１１】
基板、前記基板の一方の面に設けられ、複数層からなる第一反射膜、前記基板に対向する第二反射膜、前記第一反射膜の上に設けられた電極と、を備え、前記第一反射膜が、前記第二反射膜に対向する領域を含み、かつ当該領域から前記基板の外周縁に亘る領域に設けられている干渉フィルターと、
前記干渉フィルターを収容する筐体と、
を備えたことを特徴とする光学フィルターデバイス。
【請求項１２】
基板、前記基板の一方の面に設けられ、複数層からなる第一反射膜、前記基板に対向する第二反射膜、前記第一反射膜の上に設けられた電極と、を備え、前記第一反射膜が、前記第二反射膜に対向する領域を含み、かつ当該領域から前記基板の外周縁に亘る領域に設けられている干渉フィルターと、
前記干渉フィルターから出射された光を受光する受光部と、
を備えたことを特徴とする光学モジュール。
【請求項１３】
基板、前記基板の一方の面に設けられ、複数層からなる第一反射膜、前記基板に対向する第二反射膜、前記第一反射膜の上に設けられた電極と、を備え、前記第一反射膜が、前記第二反射膜に対向する領域を含み、かつ当該領域から前記基板の外周縁に亘る領域に設けられている干渉フィルターと、
前記干渉フィルターを制御する制御部と、
を備えたことを特徴とする電子機器。
【手続補正２】
【補正対象書類名】明細書
【補正対象項目名】０００６
【補正方法】変更
【補正の内容】
【０００６】
本発明の一態様の干渉フィルターは、基板と、前記基板の一方の面に設けられ、複数層を含む第一反射膜と、前記基板に対向する第二反射膜と、前記第一反射膜の上に設けられた電極と、を備え、前記第一反射膜は、前記第二反射膜に対向する第一領域を含み、さらに前記第一領域から前記基板の外周縁に亘る領域に設けられていることを特徴とする。
上記の本発明に係る干渉フィルターは、基板と、前記基板の一方の面に設けられ、複数層からなる第一反射膜と、前記基板に対向する第二反射膜と、前記第一反射膜の上に設けられた電極と、を備え、前記第一反射膜は、前記第二反射膜に対向する領域を含み、かつ当該領域から前記基板の外周縁に亘る領域に設けられていることを特徴とする。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
第一反射膜、及び前記第一反射膜に対向する第二反射膜を含む干渉フィルターと、
前記干渉フィルターを収納する筐体と、
前記干渉フィルターを前記筐体に対して固定する接合部材と、
を含み、
前記筐体は、前記干渉フィルターの一つの面に対向するように位置する第一面と、前記第一面に連続し、前記干渉フィルターの前記一つの面に交差する別の一つの面に対向するように位置する第二面と、前記第一面から連続し、前記干渉フィルターと離れる方向に位置する第三面と、を有し、
前記接合部材は、前記一つの面と前記第一面との間、及び前記別の一つの面と前記第二面との間に配置されることを特徴とする光学フィルターデバイス。
【請求項２】
請求項１に記載の光学フィルターデバイスにおいて、
前記筐体は、前記第一面の周囲の一部を囲う溝部を含み、
前記第三面は、前記溝部における前記第一面側の側面であることを特徴とする光学フィルターデバイス。
【請求項３】
請求項２に記載の光学フィルターデバイスにおいて、
前記一つの面と前記溝部の底面との間の距離は、前記別の一つの面と前記第二面との間の距離よりも大きいことを特徴とする光学フィルターデバイス。
【請求項４】
請求項１に記載の光学フィルターデバイスにおいて、
前記別の一つの面は、平面状の第一側面と、前記第一側面に連続し、前記第一側面に交差する平面状の第二側面と、を含み、
前記接合部材は、前記第一側面及び前記第二側面に跨って設けられていることを特徴とする光学フィルターデバイス。
【請求項５】
請求項１に記載の光学フィルターデバイスにおいて、
前記干渉フィルターは、前記第一反射膜が設けられた第一基板と、前記第一基板に対向し、前記第二反射膜が設けられた第二基板と、を備え、
前記接合部材は、前記第一基板及び前記第二基板のいずれかを前記筐体に固定していることを特徴とする光学フィルターデバイス。
【請求項６】
請求項５に記載の光学フィルターデバイスにおいて、
前記第一基板及び前記第二基板のいずれか一方の基板は、前記第一基板から前記第二基板に向かう方向から見た平面視において、他方の基板に対して突出する突出部を有し、
前記第一面は、前記平面視において前記突出部の少なくとも一部に重なることを特徴とする光学フィルターデバイス。
【請求項７】
請求項６に記載の光学フィルターデバイスにおいて、
前記突出部は、前記筐体に設けられた筐体側端子に対して電気的に接続された接続端子を有することを特徴とする光学フィルターデバイス。
【請求項８】
請求項５に記載の光学フィルターデバイスにおいて、
前記第二基板は、前記第二反射膜が設けられた可動部と、前記可動部を前記第二基板の厚み方向に変位可能に保持する保持部と、を備え、
前記接合部材は、前記第一基板を前記筐体に固定していることを特徴とする光学フィルターデバイス。
【請求項９】
第一反射膜、及び前記第一反射膜に対向する第二反射膜を含む干渉フィルターと、
前記干渉フィルターを収納する筐体と、
前記干渉フィルターを前記筐体に対して固定する接合部材と、
前記干渉フィルターにより取り出された光を検出する検出部と、
を含み、
前記筐体は、前記干渉フィルターの一つの面に対向するように位置する第一面と、前記第一面に連続し、前記干渉フィルターの前記一つの面に交差する別の一つの面に対向するように位置する第二面と、前記第一面から連続し、前記干渉フィルターと離れる方向に位置する第三面と、を有し、
前記接合部材は、前記一つの面と前記第一面との間、及び前記別の一つの面と前記第二面との間に配置されることを特徴とする光学モジュール。
【請求項１０】
第一反射膜、及び前記第一反射膜に対向する第二反射膜を含む干渉フィルターと、
前記干渉フィルターを収納する筐体と、
前記干渉フィルターを前記筐体に対して固定する接合部材と、
前記干渉フィルターを制御する制御部と、
を含み、
前記筐体は、前記干渉フィルターの一つの面に対向するように位置する第一面と、前記第一面に連続し、前記干渉フィルターの前記一つの面に交差する別の一つの面に対向するように位置する第二面と、前記第一面から連続し、前記干渉フィルターと離れる方向に位置する第三面と、を有し、
前記接合部材は、前記一つの面と前記第一面との間、及び前記別の一つの面と前記第二面との間に配置されることを特徴とする電子機器。
【請求項１１】
ＭＥＭＳ素子と、
前記ＭＥＭＳ素子を収納する筐体と、
前記基板を前記筐体に対して固定する接合部材と、
を含み、
前記筐体は、前記ＭＥＭＳ素子の一つの面に対向するように位置する第一面と、前記第一面に連続し、前記ＭＥＭＳ素子の前記一つの面に交差する別の一つの面に対向するように位置する第二面と、前記第一面から連続し、前記ＭＥＭＳ素子と離れる方向に位置する第三面と、を有し、
前記接合部材は、前記一つの面と前記第一面との間、及び前記別の一つの面と前記第二面との間に配置されることを特徴とするＭＥＭＳデバイス。
【手続補正２】
【補正対象書類名】明細書
【補正対象項目名】０００７
【補正方法】変更
【補正の内容】
【０００７】
本発明の一態様の光学フィルターデバイスは、第一反射膜、及び前記第一反射膜に対向する第二反射膜を含む干渉フィルターと、前記干渉フィルターを収納する筐体と、前記干渉フィルターを前記筐体に対して固定する接合部材と、を含み、前記筐体は、前記干渉フィルターの一つの面に対向するように位置する第一面と、前記第一面に連続し、前記干渉フィルターの前記一つの面に交差する別の一つの面に対向するように位置する第二面と、前記第一面から連続し、前記干渉フィルターと離れる方向に位置する第三面と、を有し、前記接合部材は、前記一つの面と前記第一面との間、及び前記別の一つの面と前記第二面との間に配置されることを特徴とする。
上記の本発明に係る干渉フィルターは、第一反射膜、前記第一反射膜に対向する第二反射膜、及び、前記第一反射膜及び前記第二反射膜のいずれかが設けられた基板を備えた干渉フィルターと、前記干渉フィルターを収納可能な内部空間を有する筐体と、前記基板の厚み方向に沿う基板側面及び前記基板側面に交わる基板表面を前記筐体に対して固定する接合部材と、を備え、前記筐体は、前記基板表面に対向する第一面と、前記第一面の周囲の一部に連続し、前記基板側面に対向する第二面と、前記第一面の周囲の残部から前記基板と離れる方向に連続する第三面と、を有し、前記接合部材は、前記基板表面と前記第一面との間、及び前記基板側面と前記第二面との間に跨って設けられていることを特徴とする。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
複数層を含み、かつ、最表面の層が導電層である第一反射膜と、
第二反射膜と、
を備え、
前記第一反射膜は、前記第二反射膜に対向する第一領域と、前記第一領域の外周縁から当該第一領域の外に連続する第二領域と、を有し、
前記第二領域の前記導電層の一部は、配線接続が可能な第一端子部であることを特徴とする干渉フィルター。
【請求項２】
請求項１に記載の干渉フィルターにおいて、
前記第二反射膜は、複数層を含み、最表面の層が導電層であるとともに、前記第一反射膜の第一領域に対向する第三領域と、前記第三領域の外周縁から当該第三領域の外に連続する第四領域を有し、
前記第四領域の前記導電層の一部は、配線接続が可能な第二端子部であることを特徴とする干渉フィルター。
【請求項３】
請求項２に記載の干渉フィルターにおいて、
前記第一反射膜が設けられた第一基板と、
前記第二反射膜が設けられ、前記第一基板に対向する第二基板と、
前記第一基板に設けられた第一電極と、
前記第二基板に設けられ、前記第一電極に対向する第二電極と、
を備え、
前記第一電極は、平面視において、前記第一領域の外に設けられ、
前記第二電極は、前記第二反射膜の前記導電層の上に設けられたことを特徴とする干渉フィルター。
【請求項４】
請求項３に記載の干渉フィルターにおいて、
前記第一電極と前記第二電極との間の第一ギャップ寸法は、前記第一反射膜の前記第一領域における前記導電層と前記第二反射膜の前記第三領域における前記導電層との間の第二ギャップ寸法よりも小さいことを特徴とする干渉フィルター。
【請求項５】
請求項１から請求項４のいずれかに記載の干渉フィルターにおいて、
前記導電層は、所定波長域に対して透光性を有する金属酸化物であることを特徴とする干渉フィルター。
【請求項６】
請求項５に記載の干渉フィルターにおいて、
前記端子部には、金属膜が設けられたことを特徴とする干渉フィルター。
【請求項７】
請求項６に記載の干渉フィルターにおいて、
前記第一反射膜が設けられた第一基板と、
前記第二反射膜が設けられた第二基板と、
前記第一基板及び前記第二基板の少なくともいずれか一方に設けられた電極と、を備え、
前記電極と前記金属膜とが同一素材により構成されたことを特徴とする干渉フィルター。
【請求項８】
請求項１から請求項６のいずれかに記載の干渉フィルターにおいて、
前記第二反射膜が設けられた第二基板を備え、
前記第二基板には、前記第一端子部に接続された接続電極が設けられたことを特徴とする干渉フィルター。
【請求項９】
請求項１から請求項８のいずれかに記載の干渉フィルターにおいて、
前記第一反射膜及び前記第二反射膜は、誘電体多層膜を含むことを特徴とする干渉フィルター。
【請求項１０】
複数層を含み、かつ、最表面の層が導電層である第一反射膜、及び、第二反射膜を備えた干渉フィルターと、
前記干渉フィルターを収納する筐体と、
を具備し、
前記第一反射膜は、前記第二反射膜に対向する第一領域と、前記第一領域の外周縁から当該第一領域の外に連続する第二領域を有し、
前記第二領域の前記導電層の一部は、配線接続が可能な端子部であることを特徴とする光学フィルターデバイス。
【請求項１１】
複数層を含み、かつ、最表面の層が導電層である第一反射膜、及び、第二反射膜を備えた干渉フィルターと、
前記干渉フィルターから出射された光を受光する受光部と、
を具備し、
前記第一反射膜は、前記第二反射膜に対向する第一領域と、前記第一領域の外周縁から当該第一領域の外に連続する第二領域を有し、
前記第二領域の前記導電層の一部は、配線接続が可能な端子部であることを特徴とする光学モジュール。
【請求項１２】
複数層を含み、かつ、最表面の層が導電層である第一反射膜、及び、第二反射膜を備えた干渉フィルターと、
前記干渉フィルターを制御する制御部と、
を備え、
前記第一反射膜は、前記第二反射膜に対向する第一領域と、前記第一領域の外周縁から当該第一領域の外に連続する第二領域を有し、
前記第二領域の前記導電層の一部は、配線接続が可能な端子部であることを特徴とする電子機器。
【手続補正２】
【補正対象書類名】明細書
【補正対象項目名】０００６
【補正方法】変更
【補正の内容】
【０００６】
本発明の一態様の干渉フィルターは、複数層を含み、かつ、最表面の層が導電層である第一反射膜と、第二反射膜と、を備え、前記第一反射膜は、前記第二反射膜に対向する第一領域と、前記第一領域の外周縁から当該第一領域の外に連続する第二領域と、を有し、前記第二領域の前記導電層の一部は、配線接続が可能な第一端子部であることを特徴とする。
上記の本発明に係る干渉フィルターは、複数層からなり、かつ、当該複数層の最表面の層が導電層である第一反射膜と、第二反射膜と、を備え、前記第一反射膜は、前記第二反射膜に対向する第一領域と、前記第一領域の外周縁から当該第一領域外に連続する第二領域と、を有し、前記第二領域の前記導電層の一部は、配線接続が可能な端子部であることを特徴とする。
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
投影部による画像投影中における第１所定ユーザ操作に応じて、前記投影部により画像が投影される投影面に関する投影面情報を取得する取得手段と、
前記第１所定ユーザ操作とは異なる第２所定ユーザ操作に応じて、前記投影部による前記投影面に対する投影画像の補正処理を、前記取得手段により取得された投影面情報を用いて実行する実行手段と、を有することを特徴とする情報処理装置。
【請求項２】
前記取得手段は、前記第１所定ユーザ操作に応じて撮影装置が前記投影面を撮影することで得られる画像を、前記投影面情報として取得し、
前記実行手段は、前記第１所定ユーザ操作に応じて前記取得手段により取得された前記投影面情報としての画像と、前記第２所定ユーザ操作に応じて前記撮影装置が撮影することで得られる画像とを用いて、前記補正処理のための補正パラメータを決定することを特徴とする請求項１に記載の情報処理装置。
【請求項３】
前記第１所定ユーザ操作に応じた撮影装置の撮影により得られる第１撮影画像から特徴点を抽出すると共に、前記第２所定ユーザ操作に応じた前記撮影装置の撮影により得られる第２撮影画像から特徴点を抽出する抽出手段を有し、
前記実行手段は、前記抽出手段により前記第１撮影画像から抽出された特徴点の位置情報と、前記第２撮影画像から抽出された特徴点の位置とに基づいて前記補正処理のための補正パラメータを決定することを特徴とする請求項１又は２に記載の情報処理装置。
【請求項４】
前記第１所定ユーザ操作に応じた撮影装置による撮影により得られる第１撮影画像から抽出される特徴点の位置情報を記憶する記憶手段を有し、
前記実行手段は、前記記憶手段に記憶された前記特徴点の位置情報と、前記第２所定ユーザ操作に応じた前記撮影装置による撮影により得られる第２撮影画像から抽出される特徴点の位置情報とを用いて、前記補正処理のための補正パラメータを決定することを特徴とする請求項１乃至３のいずれか１項に記載の情報処理装置。
【請求項５】
前記実行手段は、前記第１所定ユーザ操作に応じた撮影により得られる第１撮影画像から抽出される特徴点の位置情報と、前記第２所定ユーザ操作に応じた撮影により得られる第２撮影画像から抽出される特徴点の位置情報との差分が小さくなるような前記補正処理のための補正パラメータを決定することを特徴とする請求項１乃至４のいずれか１項に記載の情報処理装置。
【請求項６】
前記実行手段は、複数回の前記第１所定ユーザ操作に応じた複数回の撮影により得られる複数の撮影画像から抽出された複数の位置情報のうち、選択された位置情報と、前記第２所定ユーザ操作に応じた撮影により得られる第２撮影画像から抽出される特徴点の位置情報との差分が少なくなるような前記補正処理のための補正パラメータを決定することを特徴とする請求項１乃至４のいずれか１項に記載の情報処理装置。
【請求項７】
前記選択された位置情報は、前記複数の位置情報のうち、前記第２所定ユーザ操作に応じた撮影により得られる第２撮影画像から抽出される特徴点の位置情報に最も類似度が高い位置情報である、あるいは、前記複数の位置情報のうち、ユーザの選択指示によって選択された位置情報であることを特徴とする請求項６に記載の情報処理装置。
【請求項８】
前記実行手段は、前記補正処理のための補正パラメータとして、画像の変形情報、表示位置情報、拡大・縮小情報、キーストーン補正情報の少なくとも１つを決定することを特徴とする請求項１乃至７のいずれか１項に記載の情報処理装置。
【請求項９】
前記取得手段は、前記投影部による前記投影面に対する画像投影が停止されている状態での前記投影面に関する基礎投影面情報を取得し、
前記実行手段は、前記投影部による画像投影中における投影面に関する投影面情報と、前記投影部による画像投影停止中における投影面に対する基礎投影面情報とを用いて、前記補正処理のための補正パラメータを決定することを特徴とする請求項１乃至８のいずれか１項に記載の情報処理装置。
【請求項１０】
前記取得手段は、通信部を介して接続される撮影装置が前記投影面を撮影して得られる画像を、前記通信部を介して前記投影面情報として取得することを特徴とする請求項１乃至９のいずれか１項に記載の情報処理装置。
【請求項１１】
情報処理装置の制御方法であって、
投影部による画像投影中における第１所定ユーザ操作に応じて、前記投影部により画像が投影される投影面に関する投影面情報を取得する取得工程と、
前記第１所定ユーザ操作とは異なる第２所定ユーザ操作に応じて、前記投影部による前記投影面に対する補正処理を、前記取得された投影面情報を用いて実行する実行工程と有することを特徴とする情報処理装置の制御方法。
【請求項１２】
コンピュータを、請求項１乃至１０のうち少なくとも何れか１項に記載の情報処理装置の各手段として動作させるためのプログラム。
【手続補正２】
【補正対象書類名】明細書
【補正対象項目名】００１０
【補正方法】変更
【補正の内容】
【００１０】
上記の目的を達成するための本発明による情報処理装置は以下の構成を有する。即ち、
投影部による画像投影中における第１所定ユーザ操作に応じて、前記投影部により画像が投影される投影面に関する投影面情報を取得する取得手段と、
前記第１所定ユーザ操作とは異なる第２所定ユーザ操作に応じて、前記投影部による前記投影面に対する投影画像の補正処理を、前記取得手段により取得された投影面情報を用いて実行する実行手段と、を有する。
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
少なくとも２つのヒータを有し、被加熱物を加熱する加熱部と、
供給電源と前記ヒータとの間に設けられたスイッチと、
前記スイッチをＯＮ／ＯＦＦすることにより前記ヒータへ供給する電力を制御する制御
手段であって、前記２つのヒータのうちの第１のヒータへ供給する電力を位相制御により
制御し、前記２つのヒータのうちの第２のヒータへ供給する電力をパターン制御により行
う制御手段と、
を備えたことを特徴とする衛生洗浄装置。
【請求項２】
前記第１のヒータの抵抗値は、前記第２のヒータの抵抗値よりも高いことを特徴とする
請求項１記載の衛生洗浄装置。
【請求項３】
前記加熱部の出力がゼロから所定値までの区間は、前記第１のヒータのみに電力を供給
することを特徴とする請求項１または２に記載の衛生洗浄装置。
【請求項４】
前記パターン制御は、１６半波を一周期として１半波ごとにＯＮ／ＯＦＦ制御を行う制
御であり、
前記第２のヒータについて１／１６〜４／１６及び１２／１６〜１５／１６に対応する
出力の区間は、前記第１のヒータのみに電力を供給することを特徴とする請求項１〜３のいずれか１つに記載の衛生洗浄装置。
【手続補正２】
【補正対象書類名】明細書
【補正対象項目名】００１４
【補正方法】変更
【補正の内容】
【００１４】
第４の発明は、前記パターン制御は、１６半波を一周期として１半波ごとにＯＮ／ＯＦ
Ｆ制御を行う制御であり、前記第２のヒータについて１／１６〜４／１６及び１２／１６
〜１５／１６に対応する出力の区間は、前記第１のヒータのみに電力を供給することを特徴とする。  
１／１６〜４／１６及び１２／１６〜１５／１６に対応する出力の区間において、パタ
ーン制御を用いずに位相制御のみを用いることにより、フリッカを生ずることなく、きめ
細やかな制御が可能となる。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
ジェットポンプ作用により洗浄水を便器本体に供給して洗浄する水洗大便器装置であっ
て、
汚物を受けるボウル部と、このボウル部に洗浄水を導くための導水路とを備えた便器本
体と、
この便器本体に供給する洗浄水を貯水する貯水タンクと、
使用者が手動操作可能な手動操作部と、
少なくともその一部が上記貯水タンク内で水没した状態で配置されたジェットポンプユ
ニットであって、このジェットポンプユニットは、その一端が上記便器本体の導水路の入
口に接続され、その他端には吸引口が形成され、この吸引口が上記貯水タンク内の下部に位置するように配置されたスロート管と、このスロート管の吸引口に向けて洗浄水を噴射してジェットポンプ作用を誘発させるジェットノズルと、を備えた上記ジェットポンプユニットと、
上記ジェットポンプユニットのジェットノズルに給水源から洗浄水を供給するための給
水弁装置と、を有し、
上記給水弁装置は、主弁座と、この主弁座に着座して止水する止水状態と主弁座から離
間して給水する給水状態とを切り換える主弁体と、その内部の圧力により上記主弁体を上
記主弁座に対して移動させる圧力室と、この圧力室の圧力を開放する第一穴及び第二穴と
、上記手動操作部における使用者の手動操作と連動して上記第一穴を開閉する第一パイロ
ット弁と、上記貯水タンク内の洗浄水の水位に伴い上下動するフロートと、このフロート
の上下動により上記第二穴を開閉する第二パイロット弁と、を備えていることを特徴とす
る水洗大便器装置。
【請求項２】
上記第一穴は、その開口面積が上記第二穴の開口面積より大きく形成されている請求項
１に記載の水洗大便器装置。
【請求項３】
上記第一穴及び上記第二穴の少なくとも何れか一方が上記圧力室の上方に設けられている請求項１又は２に記載の水洗大便器装置。
【請求項４】
更に、上記貯水タンク内の洗浄水の水位が所定水位まで降下したとき、上記ジェットノ
ズルから上記スロート管の内部に向けて噴射される洗浄水を遮断してその洗浄水を上記貯
水タンク内に供給するための切換部材を有する請求項１乃至３の何れかに記載の水洗大便
器装置。
【請求項５】
更に、大洗浄及び小洗浄に必要な洗浄水量を切り換えるための大小洗浄切換機構であっ
て、この大小洗浄切換機構は、上記貯水タンク内を上記ジェットノズル及び上記スロート管の吸引口を取り囲む空間と他の空間とを仕切りその上方が開放されている仕切壁と、この仕切壁の所定の高さ位置に形成された開口部と、この開口部を開閉するために上記仕切壁に取り付けられた開閉弁と、を備えている上記大小洗浄切換機構を有し、
上記手動操作部は、回転軸を回転させる手動回転操作部であり、使用者による手動回転
操作部の回転操作に連動して上記開閉弁の開閉が行われ、大洗浄と小洗浄の切換えが行わ
れるようになっている請求項１乃至４の何れか１項に記載の水洗大便器装置。
【手続補正書】
【提出日】平成28年3月15日(2016.3.15)
【手続補正１】
【補正対象書類名】特許請求の範囲
【補正対象項目名】請求項５
【補正方法】変更
【補正の内容】
【請求項５】
更に、上記リム吐水部から吐水された洗浄水がその上を流れる棚部を有し、この棚部が
上記リム吐水部から上記凹部の前後方向の中心より後方で且つ上記上方汚物受け面の後端
より前方の領域まで形成され、さらに、上記棚部の後端から上記上方汚物受け面の後端ま
での領域は上記棚部が形成されていない請求項４に記載の水洗大便器。